(57)【要約】【課題】広告塔を安定性良く支持することができる広告塔用の台座を課題とする。【解決手段】少なくとも下部５が筒状に構成された広告塔１を支持する広告塔用の台座１０であって、広告塔１が載置されるベース部と、ベース部に設けられて広告塔１の下部の内面６に対向する固定部１２と、広告塔１の下部の内面６と固定部１２とを固定する固定手段９１と、を備えたものである。【選択図】図７
2007286437.tif 000002
【特許請求の範囲】
【請求項１】
少なくとも下部が筒状に構成された広告塔を支持する広告塔用の台座であって、
前記広告塔が載置されるベース部と、
前記ベース部に設けられ、前記広告塔の下部の内面に対向する固定部と、
前記広告塔の下部の内面と前記固定部とを固定する固定手段と、を備えた広告塔用の台座。
【請求項２】
前記ベース部は、平板状からなると共に、互いに重なるように少なくとも二つに折られることが可能に構成されている、請求項１に記載の広告塔用の台座。
【請求項３】
前記ベース部に設けられ、当該ベース部が少なくとも二つに折られた状態から展開された場合に当該ベース部の展開状態を保持する展開保持手段を備えた、請求項２に記載の広告塔用の台座。
【請求項４】
前記展開保持手段は、前記ベース部に対し折畳み及び展開可能に構成されており、
前記展開保持手段は、前記ベース部の展開に連動して展開され、その展開された状態で当該ベース部の展開状態を保持する、請求項３に記載の広告塔用の台座。
【請求項５】
少なくとも下部が筒状に構成された広告塔を支持する広告塔用の台座であって、
前記広告塔が載置され、折畳み及び展開可能に構成されたベース部と、
前記ベース部に設けられ、前記広告塔の下部に固定される固定部と、
前記ベース部に対し折畳み及び展開可能に構成され、前記ベース部が展開された場合に当該ベース部の展開状態を保持する展開保持手段と、
を備えた広告塔用の台座。
【請求項６】
前記展開保持手段は、前記ベース部の展開に連動して展開される、請求項５に記載の広告塔用の台座。
【請求項７】
前記固定部は、前記ベース部に対し回動するように当該ベース部に設けられ、
前記固定部は、前記広告塔の下部の内面に対向する位置と、前記ベース部と同一平面上になる位置と、の間を少なくとも回動可能に構成されている、請求項１ないし６のいずれか一項に記載の広告塔用の台座。
【請求項８】
前記固定部は、互いに対向するように離間した二つの固定片を有する、請求項１ないし７のいずれか一項に記載の広告塔用の台座。
【請求項９】
当該台座は、プラスチック段ボールで形成されている、請求項１ないし８のいずれか一項に記載の広告塔用の台座。
【請求項１０】
請求項１ないし９のいずれか一項に記載の広告塔用の台座に支持された広告塔。
【発明の詳細な説明】
【技術分野】
【０００１】
本発明は、少なくとも下部が筒状に構成された広告塔を支持する広告塔用の台座、及びそれを備えた広告塔に関するものである。
【背景技術】
【０００２】
新商品や新サービスのキャンペーンでは、さまざまな広告塔が用いられている。例えば、コンビニエンスストアの店先には、新商品を表示した旗竿タイプの広告塔が設置される。この広告塔の設置では、例えば旗竿が石の台座に差し込まれ、あるいは道路のガードフェンスなどの既存設備に紐で結び付けられる方法がとられている。また、商品の販売促進や会社の宣伝のために、卓上カレンダーなどの広告塔も用いられることもある。
【０００３】
広告塔として、例えば非特許文献１及び２に記載されるような縦長筒状のものが知られている。この広告塔は、厚紙などの素材からなり、縦長筒状の外周面に所望の広告を表示するものである。また、この広告塔は、折り畳み可能に構成されているため、宣伝として使用する必要がない例えば運搬時や保管時には、折り畳んでコンパクトにすることができるようになっている。この広告塔の下部外周面には、前後一対の設置用プレートが取り付けられており、広告塔は、その下端面と設置用プレートとによって、地面上などに設置され、支持されるようになっている。
【非特許文献１】意匠登録第１１３８９５８号公報
【非特許文献２】意匠登録第１１４７７１５号公報
【発明の開示】
【発明が解決しようとする課題】
【０００４】
しかし、このような広告塔の設置・支持方法は、広告塔への設置用プレートの取付け作業が面倒である上、設置面の状態によっては安定性を欠き易いものであり、更なる改善が求められていた。また、広告塔の外周面の一部から設置用プレートが突出したようになるため、広告塔の美観を損ね易かった。
【０００５】
本発明は、広告塔を安定性良く支持することができる広告塔用の台座を提供することをその目的としている。
また、本発明は、安定性良く設置できる広告塔を提供することをその目的としている。
【課題を解決するための手段】
【０００６】
上記目的を達成するための本発明の広告塔用の台座は、少なくとも下部が筒状に構成された広告塔を支持する広告塔用の台座であって、広告塔が載置されるベース部と、ベース部に設けられ、広告塔の下部の内面に対向する固定部と、広告塔の下部の内面と固定部とを固定する固定手段と、を備えたものである。
【０００７】
この構成によれば、広告塔がベース部に載置されるため、広告塔を台座とともに設置したときの安定性を高めることができる。また、広告塔の下部の内面が固定部に固定されるため、台座と広告塔とを一体化できると共に、設置される広告塔の美観性も高めることができる。
【０００８】
この場合、ベース部は、平板状からなると共に、互いに重なるように少なくとも二つに折られることが可能に構成されていることが好ましい。
【０００９】
この構成によれば、例えば広告塔を台座に支持する必要がないときには、ベース部を少なくとも二つに折ることで、ベース部をその平面サイズを小さくしできる。これにより、台座の保管等がし易くなる。なお、固定部は、ベース部の折り目を挟んだ両側の位置にあることが好ましい。
【００１０】
この場合、本発明の台座は、ベース部に設けられ、ベース部が少なくとも二つに折られた状態から展開された場合にベース部の展開状態を保持する展開保持手段を更に備えることが好ましい。
【００１１】
この構成によれば、展開状態のベース部が折られた状態へと復元するのを展開保持手段で抑制できる。
【００１２】
この場合、展開保持手段は、ベース部に対し折畳み及び展開可能に構成されており、展開保持手段は、ベース部の展開に連動して展開され、その展開された状態で当該ベース部の展開状態を保持することが好ましい。
【００１３】
この構成によれば、展開保持手段を折りたたむことができるので、上記同様に、台座の保管等がし易くなる。また、展開保持手段がベース部の展開に連動して展開されるので、展開保持手段を簡易に展開させることができる。
【００１４】
上記目的を達成するための本発明の他の広告塔用の台座は、少なくとも下部が筒状に構成された広告塔を支持する広告塔用の台座であって、広告塔が載置され、折畳み及び展開可能に構成されたベース部と、ベース部に設けられ、広告塔の下部に固定される固定部と、ベース部に対し折畳み及び展開可能に構成され、ベース部が展開された場合に当該ベース部の展開状態を保持する展開保持手段と、を備えたものである。
【００１５】
この構成によれば、広告塔がベース部に載置されるため、広告塔を台座とともに設置したときの安定性を高めることができる。また、広告塔の下部が固定部に固定されるため、台座と広告塔とを一体化できる。さらに、ベース部及び展開保持手段が折畳み可能であるため、台座を全体としてコンパクトに変形でき、台座の保管等がし易くなる。また、展開後の展開保持手段によって、ベース部が自然状態で折りたたまれることを抑制できる。
【００１６】
この場合、展開保持手段は、ベース部の展開に連動して展開されることが好ましい。
【００１７】
この構成によれば、展開保持手段を簡易に展開させることができる。
【００１８】
これらの場合、固定部は、ベース部に対し回動するようにベース部に設けられ、固定部は、広告塔の下部の内面に対向する位置と、ベース部と同一平面上になる位置と、の間を少なくとも回動可能に構成されていることが好ましい。
【００１９】
この構成によれば、例えば広告塔を台座に支持する必要がないときには、固定部をベース部と同一平面上に位置させることができ、固定部をベース部から突出させなくて済む。これにより、例えば台座の運搬や保管等の点で有用となる。
【００２０】
これらの場合、固定部は、互いに対向するように離間した二つの固定片を有することが好ましい。
【００２１】
この構成によれば、広告塔と台座とを対向する二箇所で固定できるため、広告塔が台座から外れないように両者を好適に固定できる。なお、二つの固定片はベース部と一体形成されていることが好ましい。
【００２２】
また、本発明の台座は、プラスチック段ボールで形成されることが好ましい。
【００２３】
こうすることで、軽量で且つ強度のある台座を構成でき、台座が持ち運び易くなると共に、広告塔を支持するのに好適となる。
【００２４】
上記目的を達成するための本発明の広告塔は、上記した本発明の台座に支持されたものである。
【発明の効果】
【００２５】
以上説明した本発明の広告塔用の台座によれば、広告塔を安定性良く支持できる。また、本発明の広告塔によれば、上記の台座に支持されるので、安定性良く設置できる。
【発明を実施するための最良の形態】
【００２６】
以下、添付図面を参照して、本発明の好適な実施形態について説明する。
図１ないし図３は、それぞれ、台座で支持された広告塔を示す斜視図、正面図及び右側面図である。
【００２７】
広告塔１は、鉛直方向に長い筒状に構成されている。広告塔１の筒状の形状は、円筒又は角筒のいずれでもよく、また、筒状の断面形状は、円、半円、長円又は三日月のいずれであってもよいが、ここでは楕円で構成されている。広告塔１の外周面２には、この広告塔１が宣伝する広告の内容や、広告主である会社のロゴ、各種の文字、図形又は記号などの標章を付され得る。ここでは、広告塔１の正面側の一部の外周面２に、「Ａ」の文字が表示されている。
【００２８】
広告塔１は、紙や樹脂など、各種の材料で形成することができる。ここでは、低コスト化や廃棄のし易さ等の観点から、広告塔１を厚紙で形成している。この場合、広告塔１は、折り畳み可能な二枚の厚紙をつなぎ合わせることで、内部が空洞で鉛直方向に所定の高さを有する形状へと組み立てられている。厚紙同士がつなぎ合わせられる部位３，３は、広告塔１の断面形状において、楕円の長軸方向の両端に相当する位置である。なお、広告塔１は、各厚紙の折り目によって鉛直方向に４つのエリアに区画されており、その折り目で折られることで、一つのエリアに相当するサイズに折りたたまれるようになっている。
【００２９】
広告塔１の上下端部は、開口している。広告塔１は、楕円状の下端面４が台座１０に載置され、これに支持される。本実施形態では、広告塔１は、台座１０の中央部で支持されると共に、その下部５の内面６が台座１０に固定される。このとき、広告塔１における楕円の長軸方向は、台座１０の折り目２３の方向に略合致するようになっている。また、この状態では、広告塔１の下部５の中空部分には、台座１０の後述する固定片１２，１２などの各構成要素が収容されるようになっている。
【００３０】
他の実施態様では、広告塔１の上部及び中間部は筒状でなくても良く、例えば柱状であってもよい。要するに、本実施形態の台座１０を適用可能な広告塔１は、少なくとも下部５が筒状に構成されていればよく、好ましくは台座１０の構成要素を収容できればよい。
【００３１】
図４及び図５は、台座１０の斜視図及び平面図である。図６は、二つ折りした状態の台座１０を示す図であり、（Ａ）は平面図、（Ｂ）は正面図である。また、図７及び図８は、広告塔１が支持された状態の台座１０を示す断面図であり、図７は、図２のＶＩＩ−ＶＩＩ線で切断した断面図であり、図８は、図３のＶＩＩＩ−ＶＩＩＩ線で切断した断面図である。
【００３２】
図４ないし図６に示すように、台座１０は、全体として円形からなる平板状のベース部１１と、一対の固定片１２，１２と、一対の展開保持片１３，１３と、を有している。ベース部１１、各固定片１２及び各展開保持片１３は、同一の厚みを有していると共に、一体に形成されている。
【００３３】
台座１０は、紙や樹脂など、各種の材料で形成することができる。ここでは、台座１０は、例えばＰＰＴやポリプロピレンなどの樹脂を原料として押出法によって製造され、プラスチック段ボール（いわゆるダンプラ）で形成されており、ベース部１１、各固定片１２及び各展開保持片１３を一体構造として有している。ダンプラを用いることで、台座１０に所定の剛性、耐久性及び耐水性をもたせつつ、台座１０を軽量化できる。
【００３４】
ダンプラは、ハニカム構造（中空構造体）を有し、主として二枚の板材の間に複数の縦板を一方向に一体に有した構成からなる（図５参照）。このため、縦板と縦板との間には、中空の空間が構成されている。このような中空構造体は、例えば縦板の延在方向（中空の目）に沿って二枚の板材の一方のみを切り込むと、その切込み部位がヒンジとして機能する。すなわち、半切りされた中空構造体は、その切込み線を境として折畳み及び展開可能となる。なお、切込み方向を代えて、中空の目に対して直角に又は交差する角度で半切りしても、中空構造体はヒンジ機能を具備する。ただし、切込み方向によっては、自然状態でも切込み線を境として展開するようになるなど、切込み部位に作用される展開力は異なる。
【００３５】
本実施形態の台座１０は、上記のダンプラの特性を活用することで、ベース部１１に対し、各固定片１２及び各展開保持片１３を折畳み及び展開可能に構成している。
具体的には、固定片１２及び展開保持片１３は、ベース部１１の下面側を所定の長さ半切りされることで、ベース部１１の上方に回動するようにベース部１１と一体に設けられている。そして、固定片１２及び展開保持片１３は、各々、ベース部１１と同一平面上になる第１の位置（図５に示す位置）から、ベース部１１の上面に重ね合わせられる反転した第２の位置まで、回動できるようになっている。
【００３６】
したがって、第１の位置から第２の位置までの間には、各固定片１２が、ベース部11に対して直角となり、広告塔１の鉛直方向に延在してその下部５の内面６に対向する位置が含まれる（図７参照）。図４及び図５に一点鎖線で示す符号２１、２２は、それぞれ、各固定片１２及び各展開保持片１３のヒンジとなる折り目を示している。なお、一対の展開保持片１３，１３は、切込み方向の関係上、自由状態において、ベース部１１に対して僅かに傾斜（展開）するような力が作用される（図１０参照）。
【００３７】
また、ベース部１１及び各展開保持片１３は、ダンプラの特性を活用することで、それぞれ、二つ折りに折畳み可能に構成されている。具体的には、ベース部１１及び各展開保持片１３は、その下面側を直径方向に半切りされることで、折り目２３を中心としてその上方に二つ折りされるように構成されている。
【００３８】
より詳細には、ベース部１１を構成する二つの半部１１ａ，１１ｂは、折り目２３に対して線対称の形状を有し、それぞれ半円形の外形を有している。二つの半部１１ａ，１１ｂは、同一の平面状に展開されて全体として円形の外形を画成する展開状態（図４及び図５に示す状態）と、互いに重なるように折り畳まれる折畳み状態（図６に示す状態）との間で、折り目２３を中心に互いに回動可能に構成されている。
【００３９】
同様に、各展開保持片１３を構成する二つの半部１３ａ，１３ｂは、折り目２３に対して線対称の形状を有している。二つの半部１３ａ，１３ｂは、同一の平面状に展開される展開状態（図４及び図５に示す状態）と、互いに重なるように折り畳まれる折畳み状態（図６に示す状態）との間で、折り目２３を中心に互いに回動可能に構成されている。
【００４０】
折り目２３は、二つの折り目２１、２１と平行に延在し、ベース部１１の直径方向に亘って延在している。また、折り目２３は、二つの折り目２２、２２を直角に横切っている。さらに、折り目２３の延在方向は、上記したように、広告塔１が台座１０に支持された場合には、広告塔１における楕円の長軸方向に合致するようになっている。
【００４１】
ベース部１１は、その上面が広告塔１を載置し、その下面が地面上に設置される。ベース部１１の中央部には、略方形の開口部３１が貫通形成されている。固定片１２及び展開保持片１３は、ベース部１１と同一平面上に位置したときには、開口部３１の開口領域を減らすように、開口部３１に収まるようになっている。また、ベース部１１には、開口部３１を挟んでその両側に一対の取付け開口３２，３２が貫通形成されている。
【００４２】
各取り付け開口３２は、折り目２３に対して線対称の形状を有している。各取付け開口３２は、二股状の端部に第１掛止め部４１、４１を構成すると共に、この二つの第１掛止め部４１、４１を連絡する案内部４２を構成している。図４に示すように、案内部４２から輪ゴム１０１が挿入されて、輪ゴム１０１が第１掛止め部４１，４１に引っ掛けられるようになっている。なお、別の実施態様では、ベース部１１は、全体として円形でなくてもよく、例えば全体として方形や楕円形の平板で構成されてもよい。
【００４３】
一対の固定片１２，１２は、線対称の形状を有している。一対の固定片１２，１２は、ベース部１１の中心を挟んで互いに対向するように離間すると共に、ベース部１１の直径方向に延在している。固定片１２は長方形からなり、その長辺方向が折り目２１（折り目２３）の延在方向に直交している。
【００４４】
固定片１２がベース部１１と同一平面上に位置したときには、固定片１２の半部は開口部３１内に突出し、残りの半部は開口部３１に連通する方形開口５１に隙間無く収まるようになっている。一方、固定片１２は、その外面及び固定手段９１（図７参照）を介して、広告塔１の下部５に固定される。なお、一対の固定片１２による固定位置は、広告塔１の楕円の短軸方向の両端に相当する位置である。
【００４５】
他の実施態様では、固定片１２は一対に限るものではなく、一つ又は複数であってもよい。また、固定片１２の位置、形状又はサイズは上記に限定されるものではなく、これらは広告塔１の形状に対応して適宜設計することができる。さらに、固定片１２はベース部１１と別体であってもよい。要するに、広告塔１の下部５の内面６に対向してこれに固定されるような固定部が、ベース部１１に設けられていればよい。
【００４６】
一対の展開保持片１３，１３は、線対称の形状を有し、ベース部１１の中心を挟んで互いに対向するように離間している。展開保持片１３は、全体として略長方形からなり、その一つの長辺が折り目２２に沿って位置している。折り目２２は、折り目２３を横切って延在する。
【００４７】
このような構成により、ベース部１１が折り畳まれた状態から展開されたときに、ベース部１１から起立又は傾斜している展開保持片１３は、ベース部１１の展開状態を保持する展開保持手段として機能する。これにより、展開状態のベース部１１が折り畳まれた状態へと折れ曲がるように復元するのを抑制できる。
【００４８】
展開保持片１３の一対の短辺６１，６１は、展開保持片１３がベース部１１と同一平面上に位置したときに、ベース部１１の開口縁部との間に所定のクリアランスを有するように構成されている。展開保持片１３のもう一つの長辺には、全体として略Ｃ字状の切欠き６２が形成されている。切欠き６２は、折り目２３に対して線対称の形状を有しており、略Ｃ字状からなる切欠き６２の二つの行止りの端部には、第２掛止め部７１が構成されている。
【００４９】
第２掛止め部７１と上記した第１掛止め部４１とには、図４及び図８に示すように、両者の間に輪ゴム１０１が掛け渡される。また、一方の展開保持片１３の第２掛止め部７１と他方の展開保持片１３の第２掛止め部７１とにも、図８に示すように、両者の間に輪ゴム１０２が掛け渡される。後述するように、これら二つの輪ゴム１０１，１０１によって、二つの展開保持片１３、１３を折畳み状態から展開状態へと移行させることができる共に、もう一つの輪ゴム１０２によって、展開状態の展開保持片１３，１３が展開しすぎないように抑制されるようになっている。
【００５０】
なお、輪ゴム１０１が第１掛止め部４１から水平方向（特に図５の左方向又は右方向）に抜けないように、ベース部１１において第１掛止め部４１の近傍に第１抜止め部８１を形成することが好ましい。また、輪ゴム１０１又は１０２が第２掛止め部７１から鉛直上方に抜けないように、各展開保持片１３において第２掛止め部７１の近傍に第２抜止め部８２を形成することが好ましい。
【００５１】
他の実施態様では、輪ゴム１０１，１０２以外のテンション付与手段を設けてもよい。例えば、展開保持片１３の上面とベース部１１の上面との間に引張りコイルバネを設け、両者を互いに引きつけるようにしてもよい。また、第２掛止め部７１―７１間のテンション付与手段を省略するなど、適宜設計変更することができる。言うまでもないが、展開保持片１３、第２掛止め部７１、及び切欠き６２の位置、形状又はサイズも適宜設計変更できる。
【００５２】
図７及び図８を参照して、広告塔１を台座１０で支持した状態を説明する。
この支持状態では、広告塔１の下端面４はベース部１１の上面に載置される。このとき、一対の固定片１２，１２、一対の展開保持片１３，１３、開口部３１及び一対の取付け開口３２，３２、並びに輪ゴム１０１，１０１，１０２などの台座１０の要素は、広告塔１の内部に収容される。なお、ベース部１１の下面が接地面となって、台座１０付の広告塔１が店先などに設置される。
【００５３】
特に図７に示すように、広告塔１の下部５の内面６は、ベース部１１に対し垂直に回動して起立した一対の固定片１２，１２の外面に両面テープ９１、９１を介して固定される。これにより、広告塔１とベース部１１とを実質的に一体化でき、広告塔１を台座１０に不動に支持・固定できる。なお、両面テープ９１に代えて、広告塔１と固定片１２とを固定する固定手段として、接着剤やリベットなどを用いてもよい。ただし、固定手段を両面テープ９１や接着剤で構成するほうが、広告塔１の下部の外周面２に固定手段を露出させないようにし易い。
【００５４】
また、特に図８に示すように、ベース部１１に対し傾斜した一対の展開保持片１３，１３は、互いに輪ゴム１０２で掛け渡されると共に、ベース部１１との間を輪ゴム１０１で掛け渡される。このとき、一対の展開保持片１３，１３の上側の長辺は、広告塔１の内面６から離間している。ただし、他の実施態様では、各展開保持片１３の長辺の両端部を広告塔１の内面６に接触させるようにしてもよい。
【００５５】
図９は、折り畳まれた広告塔１に固定された折畳み状態の台座１０を示す正面図である。上記したように、広告塔１は折畳み可能であるが、その折畳み状態では扁平となるように、広告塔１を構成する二枚の厚紙が重なる。折畳み状態の台座１０は、固定片１２，１２を介して広告塔１に保持されている。また、台座１０は、ベース部１１及び展開保持片１３が折り目２３で二つ折りにされ、それぞれの一方の半部１１ｂ、１３ｂ、１３ｂが広告塔１の正面側に位置し、他方の半部１１ａ，１３ａ，１３ａが広告塔１の背面側に位置している。
【００５６】
広告塔１及び台座１０は、図９に示す折畳み状態で運搬される。そして、広告塔１を店先などで設置する場合に、広告塔１を例えば図１，７及び８のように展開することで、台座１０も自動的に展開されて、台座１０が広告塔１を載置して支持するようになる。
【００５７】
ここで、図１０及び図１１を参照して、折畳み状態の台座１０が自動的に展開状態に移行する仕組みについて簡単に説明する。
図１０は、輪ゴム１０１，１０１，１０２が取り付けられていない展開状態の台座１０を示す側面図である。上記したように、ベース部１１及び展開保持片１３の展開状態において、各展開保持片１３は、折り目２２での切込み方向の関係上、ベース部１１に対して僅かに傾斜（展開）するようになっている。つまり、各展開保持片１３は、輪ゴム１０１，１０１，１０２がない自由な展開状態において、先上がりとなるような力が作用されている。
【００５８】
図１１は、図１０とは９０度だけ異なる角度から見た台座１０を示す図であり、輪ゴム１０１，１０１，１０２が取り付けられた台座１０を示す側面図である。なお、図１１（Ａ）及び（Ｂ）では、ベース部１１の下側に位置する輪ゴム１０１の一部を符号１０１ａで示している。
【００５９】
図１１（Ａ）は、ベース部１１及び各展開保持片１３が完全に展開する前の状態を示しており、この状態では、展開保持片１３がベース部１１と同一平面上に位置して、ベース部１１及び各展開保持片１３が折り目２３で折り曲げられている。また、この状態では、輪ゴム１０１は、展開保持片１３とベース部１１との間に強い引張り力を印加し、輪ゴム１０２は、一方の展開保持片１３と他方の展開保持片１３との間に引張り力を付与することなく、これらの間で撓んで開口部３１から下方へと垂れ下がっている。この垂れ下がった輪ゴム１０２の部位が、図１１（Ａ）において符号１０２ａで示されている。
【００６０】
ベース部１１が図１１（Ａ）に示す状態から図１１（Ｂ）に示す状態へと完全に展開するときに、すなわちベース部１１の半部１１ａと半部１１ｂとが互いに面一に移行するときに、一対の展開保持片１３、１３は、それぞれの輪ゴム１０１，１０１によって、上方へと瞬間的に回動して、展開状態へと移行する。このように、ベース部１１の展開に連動して展開保持片１３が展開されるのは、上記のように、展開保持片１３が、自由な展開状態で先上がりとなるように力が作用され、且つその力が作用されている方向へと輪ゴム１０１によって引っ張られるからである。
【００６１】
一方、輪ゴム１０２は、図１１（Ｂ）に示す展開状態において、一対の展開保持片１３、１３が展開しすぎないように、抑制する。この展開状態では、輪ゴム１０２は、一方の展開保持片１３と他方の展開保持片１３との間に所定の引張り力を印加し、各展開保持片１３の展開位置を所定の位置に維持するように機能する。この３つの輪ゴム１０１，１０１，１０２は、各展開保持片１３が展開するために必要な引張り力や、各展開保持片１３が展開しすぎないようにするために必要な引張り力などを考慮して、それぞれの張力が調整されている。
【００６２】
広告塔１及び台座１０を展開する場合、扁平の広告塔１を膨らませるように広告塔１の二枚の厚紙を徐々に離間させると、それらに固定された台座１０において、ベース部１１が自動的に徐々に展開される。そして、ベース部１１が図１１（Ａ）に示す状態を経て、図１１（Ｂ）に示す状態へと移行することで、台座１０の展開が完了して、広告塔１は台座１０に支持された状態で店先などに設置されるようになる。
【００６３】
以上説明したように、本実施形態の台座１０によれば、筒状の広告塔１を載置してその下部５を固定するため、広告塔１を安定して支持できる。このような簡易な構造によって、広告塔１を台座１０とともに設置したときの安定性を高めることができる。
【００６４】
また、支持状態では、ベース部１１の周縁部を除く台座１０の各構成要素が広告塔１の内部に収容されるため、設置時の広告塔１の美観性を高めることができる。さらに、広告塔１を支持する必要が無いときなどに、台座１０を図９に示すようにコンパクトに折り畳むことができるため、台座１０の省スペース化での管理を促進できると共に、台座１０付きの広告塔１を持ち運びし易くなるなど、台座１０付きの広告塔１の可搬性を高めることができる。また、ベース部１１の展開に連動して展開保持片１３を簡易に展開させることができる。
【００６５】
なお、他の実施態様では、ベース部１１及び展開保持片１３を二つ折りで構成するのでなく、三つ折又は四つ折などで構成してもよく、折る数は任意である。
【産業上の利用可能性】
【００６６】
以上説明した台座１０は、筒状の広告塔１に好適であるが、少なくとも下部が筒状に構成された広告宣伝用品又は他の物品を支持するのにも用いることができる。例えば、台座１０は、看板、投票箱、抽選箱又はＣＤラックなどの少なくとも下部が筒状に構成された物品を支持することができる。
【図面の簡単な説明】
【００６７】
【図１】実施形態に係る台座に支持された広告塔の斜視図である。
【図２】実施形態に係る台座に支持された広告塔の正面図である。
【図３】実施形態に係る台座に支持された広告塔の右側面図である。
【図４】実施形態に係る台座の斜視図である。
【図５】実施形態に係る台座の平面図である。
【図６】実施形態に係る台座を二つ折りした状態を示す図であり、（Ａ）は平面図、（Ｂ）は正面図である。
【図７】図２のＶＩＩ−ＶＩＩ線で切断した断面図である。
【図８】図３のＶＩＩＩ−ＶＩＩＩ線で切断した断面図である。
【図９】実施形態に係る台座を示す正面図であり、折り畳まれた広告塔に固定された折畳み状態の台座を示す図である。
【図１０】実施形態に係る台座を示す側面図であり、輪ゴムが取り付けられていない展開状態の台座を示す図である。
【図１１】実施形態に係る台座を示す側面図であり、（Ａ）はベース部及び各展開保持片が完全に展開する前の状態を示す図であり、（Ｂ）はベース部及び各展開保持片が完全に展開された後の状態を示す図である。
【符号の説明】
【００６８】
１：広告塔、５：下部、６：内面、１０：台座、１１：ベース部、１２：固定片（固定部）、１３：展開保持片（展開保持手段）、２１，２２，２３：折り目、９１：両面テープ（固定手段）
【図１】
2007286437.tif 000003
【図２】
2007286437.tif 000004
【図３】
2007286437.tif 000005
【図４】
2007286437.tif 000006
【図５】
2007286437.tif 000007
【図６】
2007286437.tif 000008
【図７】
2007286437.tif 000009
【図８】
2007286437.tif 000010
【図９】
2007286437.tif 000011
【図１０】
2007286437.tif 000012
【図１１】
2007286437.tif 000013